(57)【特許請求の範囲】
【請求項１】
内蔵のハードディスクから着脱可能なＤＶＤへのダビング動作が可能なダビング制御手段を備えた情報記録再生装置において、
ダビングする情報をユーザが選択する選択手段と、
録画予約時間帯を含む録画予約情報を記憶する録画予約情報記憶手段と、
録画キーの操作による録画動作及び録画予約による録画動作のそれぞれの録画開始時刻と録画時間とを録画履歴として記憶する録画履歴記憶手段とを備えており、
装置側でダビング予約時間を設定するオートダビングモードが選択された場合、
前記ダビング制御手段は、前記選択手段により選択された情報と前記録画予約情報記憶手段に記憶されている録画予約情報とに基づき、最も早くダビングが終了する時間優先でダビング予約時間帯を決定し、このダビング予約時間帯と録画予約時間帯とを、横軸を時間軸とした予約画面上に横棒状に表示するとともに、前記録画履歴記憶手段に記憶されている録画履歴から過去に録画動作を行った回数が比較的少ない時間帯を取得し、その取得した時間帯の中で前記オートダビングモードの選択時刻に最も近い時間帯をダビング予約推奨時間帯として、他の時間帯とは表示色を変更して前記予約画面上に表示する一方、
前記横棒状に表示されたダビング予約時間帯を前記予約画面上で時間軸方向に移動させるための移動指示手段をさらに備えており、
前記ダビング制御手段は、前記移動指示手段により前記ダビング予約時間帯が移動された場合には、その移動に伴って実際のダビング予約時間帯を変更することを特徴とする情報記録再生装置。
【請求項２】
内蔵の記録媒体から着脱可能な記録媒体へのダビング動作が可能なダビング制御手段を備えた情報記録再生装置において、
ダビングする情報をユーザが選択する選択手段を備えており、
ユーザがダビング実行時間を指定することでダビング予約を行う時間指定ダビングモードが選択された場合、
前記ダビング制御手段は、前記選択手段により選択された情報と前記指定された時間とに基づいてダビング予約時間帯を決定し、このダビング予約時間帯を、横軸を時間軸とした予約画面上に横棒状に表示するとともに、録画予約されている場合には、その録画予約時間帯も前記予約画面上に横棒状に表示する一方、
前記横棒状に表示されたダビング予約時間帯を前記予約画面上で時間軸方向に移動させるための移動指示手段を備えており、
前記ダビング制御手段は、前記移動指示手段により前記ダビング予約時間帯が移動された場合には、その移動に伴って実際のダビング予約時間帯を変更する一方、前記予約画面上において録画予約時間帯とダビング予約時間帯の少なくとも一部が重複している場合には、前記ダビング予約時間帯を、前記録画予約時間帯の前後に分割することで録画予約時間帯との重複を回避することを特徴とする情報記録再生装置。
【請求項３】
内蔵の記録媒体から着脱可能な記録媒体へのダビング動作が可能なダビング制御手段を備えた情報記録再生装置において、
ダビングする情報をユーザが選択する選択手段を備えており、
ユーザがダビング実行時間を指定することでダビング予約を行う時間指定ダビングモードが選択された場合、
前記ダビング制御手段は、前記選択手段により選択された情報と前記指定された時間とに基づいてダビング予約時間帯を決定し、このダビング予約時間帯を、横軸を時間軸とした予約画面上に横棒状に表示するとともに、録画予約されている場合には、その録画予約時間帯も前記予約画面上に横棒状に表示する一方、
録画キーの操作による録画動作及び録画予約による録画動作のそれぞれの録画開始時刻と録画時間とを録画履歴として記憶する録画履歴記憶手段を備えており、
前記ダビング制御手段は、前記ダビング予約時間帯を決定した場合には、当該ダビング予約時間帯の前後において、前記録画履歴記憶手段に記憶されている録画履歴から過去に録画動作を行った回数が比較的少ない時間帯を取得し、その取得した時間帯をダビング予約推奨時間帯として前記予約画面上に表示することを特徴とする情報記録再生装置。
【請求項４】
内蔵の記録媒体から着脱可能な記録媒体へのダビング動作が可能なダビング制御手段を備えた情報記録再生装置において、
ダビングする情報をユーザが選択する選択手段を備えており、
ユーザがダビング実行時間を指定することでダビング予約を行う時間指定ダビングモードが選択された場合、
前記ダビング制御手段は、前記選択手段により選択された情報と前記指定された時間とに基づいてダビング予約時間帯を決定し、このダビング予約時間帯を、横軸を時間軸とした予約画面上に横棒状に表示するとともに、録画予約されている場合には、その録画予約時間帯も前記予約画面上に横棒状に表示する一方、
前記横棒状に表示されたダビング予約時間帯を前記予約画面上で時間軸方向に移動させるための移動指示手段を備えており、
前記ダビング制御手段は、前記移動指示手段により前記ダビング予約時間帯が移動された場合には、その移動に伴って実際のダビング予約時間帯を変更する一方、
録画キーの操作による録画動作及び録画予約による録画動作のそれぞれの録画開始時刻と録画時間とを録画履歴として記憶する録画履歴記憶手段を備えており、
前記ダビング制御手段は、前記ダビング予約時間帯を決定した場合には、当該ダビング予約時間帯の前後において、前記録画履歴記憶手段に記憶されている録画履歴から過去に録画動作を行った回数が比較的少ない時間帯を取得し、その取得した時間帯をダビング予約推奨時間帯として前記予約画面上に表示することを特徴とする情報記録再生装置。
【請求項５】
請求項２に記載の情報記録再生装置において、
録画キーの操作による録画動作及び録画予約による録画動作のそれぞれの録画開始時刻と録画時間とを録画履歴として記憶する録画履歴記憶手段を備えており、
前記ダビング制御手段は、前記ダビング予約時間帯を決定した場合には、当該ダビング予約時間帯の前後において、前記録画履歴記憶手段に記憶されている録画履歴から過去に録画動作を行った回数が比較的少ない時間帯を取得し、その取得した時間帯をダビング予約推奨時間帯として前記予約画面上に表示することを特徴とする情報記録再生装置。
【請求項６】
請求項５に記載の情報記録再生装置において、
前記ダビング予約推奨時間帯とその他の時間帯との表示色を異ならせることを特徴とす
る情報記録再生装置。
【請求項７】
内蔵の記録媒体から着脱可能な記録媒体へのダビング動作が可能なダビング制御手段を備えた情報記録再生装置において、
ダビングする情報をユーザが選択する選択手段と、
録画予約時間帯を含む録画予約情報を記憶する録画予約情報記憶手段とを備えており、
装置側でダビング予約時間を設定するオートダビングモードが選択された場合、前記ダビング制御手段は、前記選択手段により選択された情報と前記録画予約情報記憶手段に記憶されている録画予約情報とに基づいてダビング予約時間帯を決定し、このダビング予約時間帯と録画予約時間帯とを、横軸を時間軸とした予約画面上に横棒状に表示する一方、
録画キーの操作による録画動作及び録画予約による録画動作のそれぞれの録画開始時刻と録画時間とを録画履歴として記憶する録画履歴記憶手段を備えており、
オートダビングモードの選択時、前記ダビング制御手段は、前記録画履歴記憶手段に記憶されている録画履歴から過去に録画動作を行った回数が比較的少ない時間帯を取得し、その取得した時間帯の中で前記オートダビングモードの選択時刻に最も近い時間帯をダビング予約時間帯に決定して前記予約画面上に表示することを特徴とする情報記録再生装置。
【請求項８】
請求項７に記載の情報記録再生装置において、
前記横棒状に表示されたダビング予約時間帯を前記予約画面上で時間軸方向に移動させるための移動指示手段を備えており、
前記ダビング制御手段は、前記移動指示手段により前記ダビング予約時間帯が移動された場合には、その移動に伴って実際のダビング予約時間帯を変更することを特徴とする情報記録再生装置。
【請求項９】
請求項２ないし請求項８のいずれか１項に記載の情報記録再生装置において、
前記ダビング制御手段は、前記着脱可能な記録媒体の残容量を検出し、ダビング予約を行った情報の情報量が前記記録媒体の残容量より多い場合には前記予約画面上に警告表示を行うことを特徴とする情報記録再生装置。
【請求項１０】
請求項２ないし請求項８のいずれか１項に記載の情報記録再生装置において、
前記内蔵の記録媒体がハードディスクであり、前記着脱可能な記録媒体がＤＶＤであることを特徴とする情報記録再生装置。
【発明の詳細な説明】
【技術分野】
【０００１】
本発明は、内蔵の記録媒体から着脱可能な記録媒体へのダビング動作が可能なダビング制御手段を備えた情報記録再生装置に関する。
【背景技術】
【０００２】
従来から、異なる記録媒体間のダビング処理が実行可能な情報記録装置が提案されている（例えば、特許文献１参照）。
【０００３】
この情報記録装置は、開始時刻または終了時刻が入力されてダビングを行うべき時間が認識されると、次に、その認識された時間と前もって予約されている録画予約の時間との重なり具合を確認し、各々の一部でも重複している場合には、その旨を示す警告文等を予約画面上に表示して使用者に注意を喚起し、他の予約時間への入力を促すようになっている。
【特許文献１】特開２００５−４４４２３号公報（［００７９］〜［００８１］）
【発明の開示】
【発明が解決しようとする課題】
【０００４】
このように、従来の情報記録装置によれば、ダビングの開始時刻や終了時刻をユーザが設定することで、ユーザの都合の良い時間帯にダビングを行うことができる。また、その場合に、ユーザの設定した時刻が録画予約の時間と重複している場合には、その旨の警告文が表示されるので、ユーザはその警告に従って別の時間帯にダビング時間を変更することが可能となる。
【０００５】
ところで、最近ではハードディスク（ＨＤ）内蔵型ＤＶＤレコーダが普及している。このＨＤ内蔵型ＤＶＤレコーダを使用するユーザは、通常、所望のテレビ番組等をＨＤに録画し、その中で残しておきたいものをＨＤからＤＶＤにダビングする、といった使い方が一般的である。この場合、搭載されるＨＤの大容量化が進んでいるため、画質をさほと優先しなければ、百数十時間から場合によっては数百時間の録画が可能となっているが、一方で、画質を優先したファインモードで録画した場合には、数十時間程度の録画でＨＤの容量が満杯になってしまう。そのため、ファインモードで録画を行った場合には、ＤＶＤへのダビングが頻繁に必要となる。このような現状を踏まえると、上記のようなダビング処理が行えることは、ユーザにとって便利である。
【０００６】
しかしながら、上記従来の情報記録装置では、ダビング時間を変更する場合に、どの時間帯であれば録画予約の時間と重複しないのかが分からないため、変更したダビングの時間帯がまた別の録画予約の時間帯と重複してしまう、といった事態が発生する可能性がある。そのため、ユーザは、このような場合には、何度もダビング時間を変更しなければならなくなるといった問題があった。また、ユーザが例えばダビングキーを押すだけで、録画予約等と重複しない適当なダビング時間を装置側で自動的に設定してくれれば便利である。
【０００７】
本発明はかかる実情に鑑みて創案されたもので、その目的は、一度設定したダビング予約時間を容易に変更可能であるとともに、ダビング予約時間の自動設定も可能な情報記録再生装置を提供することにある。
【課題を解決するための手段】
【０００８】
上記課題を解決するため、本発明の情報記録再生装置は、内蔵の記録媒体から着脱可能な記録媒体へのダビング動作が可能な情報記録再生装置において、ダビングモードの設定時、すぐにダビングを実行する即実行ダビングモード、ユーザがダビング実行時間を指定することでダビング予約を行う時間指定ダビングモード、装置側でダビング時間を設定するオートダビングモードのいずれかのダビングモードをユーザが選択可能に設けられた構成とされている。すなわち、従来は即実行ダビングモードか時間指定ダビングモードのいずれかであったのが、本発明の情報記録再生装置によれば、さらに装置側でダビング時間を設定するオートダビングモードを追加したので、ユーザは、例えばダビングキーを押すだけで、録画予約等と重複しない適当なダビング時間を装置側で自動的に設定することが可能となる。
【０００９】
また、本発明の情報記録再生装置は、内蔵の記録媒体から着脱可能な記録媒体へのダビング動作が可能なダビング制御手段を備えた情報記録再生装置において、ダビングする情報をユーザが選択する選択手段を備えており、ユーザがダビング実行時間を指定することでダビング予約を行う時間指定ダビングモードが選択された場合、前記ダビング制御手段は、前記選択手段により選択された情報と前記指定された時間とに基づいてダビング予約時間帯を決定し、このダビング予約時間帯を、横軸を時間軸とした予約画面上に横棒状に表示するとともに、録画予約されている場合には、その録画予約時間帯も前記予約画面上に横棒状に表示する構成とされている。
【００１０】
上記構成によれば、横軸を時間軸とした予約画面上に、時間指定したダビング予約時間帯と録画予約時間帯とが横棒状（すなわち、棒グラフ状）に表示されるので、ダビング予約時間帯と録画予約時間帯とが重複している場合には、その重複程度等も含めてその状況を一目で確認することができる。そのため、ダビング予約時間帯をどの時間帯に変更すれば良いのかが、視覚的にも判断し易くなる。
【００１１】
この場合、本発明の情報記録再生装置は、前記横棒状に表示されたダビング予約時間帯を前記予約画面上で時間軸方向に移動させるための移動指示手段をさらに備えており、前記ダビング制御手段は、前記移動指示手段により前記ダビング予約時間帯が移動された場合には、その移動に伴って実際のダビング予約時間帯を変更するようになっている。すなわち、ダビング予約時間帯と録画予約時間帯とが重複している場合には、移動指示手段により、その予約画面上でダビング予約時間帯をユーザの所望する時間帯に移動させるだけでよい。このような操作をするだけで、実際のダビング予約時間帯も変更することができる。
【００１２】
また、本発明の情報記録再生装置は、前記予約画面上において録画予約時間帯とダビング予約時間帯の少なくとも一部が重複している場合において、前記ダビング制御手段は、前記ダビング予約時間帯を、前記録画予約時間帯の前後に分割することで録画予約時間帯との重複を回避するように構成してもよい。このように、一部重複する場合には、その重複する録画予約時間帯の前後に分割してダビングを実施することで、ユーザの指定した時間帯により近いタイミングで、かつ、効率よくダビング動作を実行することができる。
【００１３】
さらに、本発明の情報記録再生装置は、録画キーの操作による録画動作及び録画予約による録画動作のそれぞれの録画開始時刻と録画時間とを録画履歴として記憶する録画履歴記憶手段をさらに備えており、前記ダビング制御手段は、前記ダビング予約時間帯を決定した場合には、当該ダビング予約時間帯の前後において、前記録画履歴記憶手段に記憶されている録画履歴から過去に録画動作を行った回数が比較的少ない時間帯を取得し、その取得した時間帯をダビング予約推奨時間帯として前記予約画面上に表示する。この場合、前記ダビング予約推奨時間帯とその他の時間帯との表示色を異ならせるようにしてもよい。このように、ダビング予約推奨時間帯を表示することで、ユーザに対して、より安全確実にダビングを行うことができる時間帯（すなわち、その後不測に録画予約が入ることの少ない時間帯）を提示できるので、ユーザは、ダビングするのに時間的余裕がある場合には、現在のダビング予約時間帯をこの推奨時間帯に移動することを検討することができる。
【００１４】
また、本発明の情報記録再生装置は、内蔵の記録媒体から着脱可能な記録媒体へのダビング動作が可能なダビング制御手段を備えた情報記録再生装置において、ダビングする情報をユーザが選択する選択手段と、録画予約時間帯を含む録画予約情報を記憶する録画予約情報記憶手段とを備えており、装置側でダビング予約時間を設定するオートダビングモードが選択された場合、前記ダビング制御手段は、前記選択手段により選択された情報と前記録画予約情報記憶手段に記憶されている録画予約情報とに基づいてダビング予約時間帯を決定し、このダビング予約時間帯と録画予約時間帯とを、横軸を時間軸とした予約画面上に横棒状に表示することを特徴とする。
【００１５】
本発明によれば、ユーザが例えばダビングキーを押すだけで、既に設定されている録画予約等と重複しない適当なダビング時間を装置側で自動的に設定してくれるので、ユーザは、キー１つ押すだけの簡単な操作で、ダビング予約を行うことができる。この場合、横軸を時間軸とした予約画面上に、自動設定されたダビング予約時間帯と録画予約時間帯とが横棒状（すなわち、棒グラフ状）に表示されるので、ダビング予約時間帯と録画予約時間帯の設定状況を一目で確認することができる。
【００１６】
この場合、前記ダビング制御手段は、前記ダビング予約時間帯を、最も早くダビングが終了する時間優先で決定するように構成してもよい。例えば、前記ダビング制御手段は、最も早いダビング可能時間帯が任意の２つの録画予約時間帯の間の時間帯である場合であって、その時間帯にダビング予約時間帯が収まらない場合には、１つのダビング予約時間帯を、その間に収まる時間帯と、後ろ側の録画予約時間帯の後ろの時間帯とに分割するように設定する。このように、１つのダビング予約を分割して行うことで、録画予約から次の録画予約までの空いている時間帯を有効に利用することができるので、実際のダビング動作を、より早いタイミングで、かつ、効率よく実行することができる。
【００１７】
また、前記ダビング制御手段は、前記ダビング予約時間帯を、録画予約時間帯を確実に回避してダビングを行うことができる安全優先で決定するように構成してもよい。具体的には、録画キーの操作による録画動作及び録画予約による録画動作のそれぞれの録画開始時刻と録画時間とを録画履歴として記憶する録画履歴記憶手段をさらに備えており、オートダビングモードの選択時、前記ダビング制御手段は、前記録画履歴記憶手段に記憶されている録画履歴から過去に録画動作を行った回数が比較的少ない時間帯を取得し、その取得した時間帯の中で前記オートダビングモードの選択時刻に最も近い時間帯をダビング予約時間帯に決定して前記予約画面上に表示するように構成してもよい。このように、過去に録画動作を行った回数が比較的少ない時間帯をダビング予約時間帯に決定することで、その後、重複する時間帯に録画予約が不測に入る、といった事態の発生を極力避けることが可能となる。
【００１８】
この場合、本発明の情報記録再生装置は、前記横棒状に表示されたダビング予約時間帯を前記予約画面上で時間軸方向に移動させるための移動指示手段をさらに備えており、前記ダビング制御手段は、前記移動指示手段により前記ダビング予約時間帯が移動された場合には、その移動に伴って実際のダビング予約時間帯を変更するようになっている。これにより、自動的にダビング予約時間帯を決定した後であっても、と録画予約時間帯とが重複している場合には、移動指示手段により、その予約画面上でダビング予約時間帯をユーザの所望する時間帯に移動させるだけでよい。このような操作をするだけで、実際のダビング予約時間帯も変更することができる。
【００１９】
また、本発明の情報記録再生装置によれば、前記ダビング制御手段は、前記着脱可能な記録媒体の残容量を検出し、ダビング予約を行った情報の情報量が前記記録媒体の残容量より多い場合には前記予約画面上に警告表示を行うように構成してもよい。このように警告表示を行うことで、時間的にはダビング可能であっても、実際にダビングを開始したときには、途中で記録媒体の容量が満杯になってダビングが途中で中断してしまうといった不具合の発生を防止することができる。
【発明の効果】
【００２０】
本発明の情報記録再生装置によれば、従来は即実行ダビングモードか時間指定ダビングモードのいずれかであったのが、さらに装置側でダビング時間を設定するオートダビングモードを追加したので、ユーザは、例えばダビングキーを押すだけで、録画予約等と重複しない適当なダビング時間を装置側で自動的に設定することができる。また、このような機能を使用することで、ダビングする時間がなくて、内蔵の記録媒体（例えば、ハードディスク）の容量が一杯になってしまい、泣く泣くどれかの内容を消去して新しい番組を録画するといった事態の発生を未然に防止することができる。
【００２１】
また、本発明の情報記録再生装置によれば、時間指定したダビング予約時間帯と録画予約時間帯とが横棒状に表示されるので、ダビング予約時間帯と録画予約時間帯とが重複している場合には、その重複程度等も含めてその状況を一目で確認することができる。そのため、録画予約時間帯をどのように変更すれば良いのかも、視覚的に判断することができる。この場合、横棒状に表示されたダビング予約時間帯を予約画面上で時間軸方向に移動させるための移動指示手段を備えているので、ダビング予約時間帯と録画予約時間帯とが重複している場合には、移動指示手段により、その予約画面上でダビング予約時間帯をユーザの所望する時間帯に移動させるたけで、簡単にダビング予約時間帯を変更することができる。
【００２２】
また、本発明の情報記録再生装置によれば、録画キーの操作による録画動作及び録画予約による録画動作のそれぞれの録画開始時刻と録画時間とを録画履歴として記憶する録画履歴記憶手段をさらに備えており、ダビング予約時間帯を決定した場合には、当該ダビング予約時間帯の前後において、前記録画履歴記憶手段に記憶されている録画履歴から過去に録画動作を行った回数が比較的少ない時間帯を取得し、その取得した時間帯をダビング予約推奨時間帯として前記予約画面上に表示色を変更して表示するように構成したので、ユーザに対して、より安全確実にダビングを行うことができる時間帯（すなわち、その後不測に録画予約が入ることの少ない時間帯）を提示できる。これにより、ユーザは、ダビングするのに時間的余裕がある場合には、現在のダビング予約時間帯をこの推奨時間帯に移動することを検討することができる。
【００２３】
また、本発明の情報記録再生装置によれば、ユーザが例えばダビングキーを押すだけで、既に設定されている録画予約等と重複しない適当なダビング時間を装置側で自動的に設定してくれるので、ユーザは、キー１つ押すだけの簡単な操作で、ダビング予約を行うことができる。この場合、横軸を時間軸とした予約画面上に、自動設定されたダビング予約時間帯と録画予約時間帯とが横棒状に表示されるので、ダビング予約時間帯と録画予約時間帯の設定状況を一目で確認することができる。
【発明を実施するための最良の形態】
【００２４】
以下、本発明の実施の形態について、図面を参照して説明する。
【００２５】
図１は、本発明に係る映像記録再生装置の一実施形態であるハードディスク（ＨＤ）内蔵型ＤＶＤレコーダの電気的構成を示すブロック図である。
【００２６】
本実施形態のＨＤ内蔵型ＤＶＤレコーダ１０は、制御部１、テレビ番組等の放送電波を受信するアンテナ２に接続されたチューナ３、信号処理部４、記録媒体であるＤＶＤ（ＤｉｇｉｔａｌＶｅｒｓａｔｉｌｅ Ｄｉｓｋ）２０の着脱が可能なディスク読書部５、リモコン１１からのコントロール信号を受信するリモコン受信部６、表示部７、操作部８、ハードディスク（ＨＤ）９からなり、信号処理部４の出力がテレビジョン受像機（以下、テレビという）３０に接続されている。
【００２７】
制御部１は、ＣＰＵ１ａ、メモリ部１ｂ、及び再生や録画等の時間をカウントするカウンタ１ｃ等から構成されている。メモリ部１ｂは、本コレーダの各種動作プログラムが格納されたＲＯＭ、動作時には種々のデータの一時保存やワークエリアとして働くＲＡＭ、後述する録画履歴を記憶するフラッシュメモリやＥＥＰＲＯＭ等からなる。チューナ３は、アンテナ２で受信した放送電波から映像を含んだアナログの信号を抽出する。信号処理部４は、アナログやデジタルの信号処理用の回路から構成されている。この信号処理部４は、チューナ３から入力されるアナログの信号をテレビ３０に出力したり、デジタル化した後にＭＰＥＧ２（ＭｏｖｉｎｇＰｉｃｔｕｒｅ Ｅｘｐｅｒｔｓ ＧｒｏｕｐＰｈａｓｅ２）形式等の圧縮されたデータに処理してディスク読書部５や制御部１に出力する。
【００２８】
ディスク読書部５は、ピックアップやピックアップ駆動回路やディスク駆動回路等から構成されている。このディスク読書部５は、信号処理部４から出力されるデータをＤＶＤ２０に記録したり、ＤＶＤ２０に記録されているデータを読み込んで信号処理部４に出力したりする。信号処理部４は、ディスク読書部５から出力されるＤＶＤ２０のデータを再生し、アナログの信号に処理した後テレビ３０に出力する。また、信号処理部４は、ＯＳＤ回路を備えており、制御部１からの制御により、テレビ３０のモニタにメニュー画面や後述する予約画面等の表示を行うようになっている。テレビ３０は信号処理部４から出力されるアナログの信号に基づいてＣＲＴ等のモニタに映像を映し出し、スピーカから音声を出力する。
【００２９】
表示部７は、時間や本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００３０】
リモコン１１と操作部８には、再生、録画、早送り、巻戻し、及び停止といった本レコーダ１０の動作を指示するために操作するキーが設けられている。また、録画予約（タイマー録画）を設定するための録画キー等も設けられている。さらに、リモコン１１には、本発明の特徴であるダビング予約を行うためのダビングキー等も設けられている。
【００３１】
図２は、リモコン１１のキー配置の構造を示す説明図である。ただし、図２には、本発明に係わるキーのみを図示しており、その他のキーについては図示を省略若しくは簡略化している。すなわち、リモコン１１には、電源キー１１１、テンキー１１２、ダビングキー１１３、録画キー１１４、上下左右キー１１５、決定キー１１６、及びその他の各種機能キー１１７が設けられている。
【００３２】
制御部１は、例えばリモコン１１の電源キー１１１がオンされ、記録媒体として例えば内蔵のハードディスク９が選択されて、録画キー１１４が操作されると、外部からアンテナ２とチューナ３を通じて入力され、信号処理部４で圧縮処理されたテレビ番組等のデータを、ハードディスク９に記録する。こきとき、同時再生（すなわち、テレビ３０での視聴）が選択されている場合には、記録と同時に再生し、再生したデータを信号処理部４によって処理した後、テレビ３０に出力する。これにより、録画中のテレビ番組がテレビ３０のモニタに映像として映し出され、スピーカから音声として出力される。
また、制御部１は、リモコン１１の録画キー１１４が操作されたり、予め設定された録画予約の録画開始時刻になると、チューナ３によって受信され、信号処理部４で圧縮処理されたテレビ番組等のデータを、ハードディスク９に記録して保存する。
【００３３】
また、制御部１は、ハードディスク９からＤＶＤ２０へのダビング機能を備えており、ダビングモードの設定に際しては、すぐにダビングを実行する「即実行ダビングモード」、ユーザがダビング実行時間を指定することでダビング予約を行う「時間指定ダビングモード」、本レコーダ側でダビング時間を設定する「オートダビングモード」のいずれかのダビングモードが選択可能となっている。この選択は、リモコン１１のキー操作によって行われる。
【００３４】
以下、本実施形態のダビング処理動作の実施例について、ユーザが「時間指定ダビングモード」を選択した場合と、「オートダビングモード」を選択した場合に分けて説明する。
【実施例１】
【００３５】
本実施例１は、ユーザが「時間指定ダビングモード」を選択した場合の実施例である。以下、図３に示すモニタの画面表示例を参照して説明する。
【００３６】
すなわち、ユーザは、リモコン１１のダビングキー１１３を押してテレビ３０のモニタに図示しないダビング選択画面を表示し、このダビング選択画面に従ってダビング先（ここではＤＶＤ２０）とダビング元（ここではＨＤ９）を決定し、ダビングするタイトルをリスト一覧から選択し、さらにダビング時の録画モード（ＳＰ（Standard Play）モード、ＬＰ（Long Play）モード、ＳＬＰ（Super Long Play）モード等）を選択する。これにより、ダビング選択画面には、ユーザの選択したタイトル名及びダビングにかかる総時間や容量などが表示される。以上により、ダビングの基本的な設定を終了する。なお、このような選択操作及び決定操作は、リモコン１１を用いて従来から行われている操作であるので、ここでは詳細な説明を省略するが、一般的には上下左右キー１１５やその中央部に配置されている決定キー１１６等を操作して行われる。
【００３７】
このようにして基本的な設定を終了すると、次に、テレビ３０のモニタには、図３（ａ）に示すようなダビングモード設定画面が表示される。このダビングモード設定画面には、すぐにダビングを実行する「即実行ダビングモード」、ユーザがダビング実行時間を指定することでダビング予約を行う「時間指定ダビングモード」、本レコード側でダビング時間を設定する「オートダビングモード」の３つのモード選択が表示されるので、ユーザは、この中から所望するモードを選択し、リモコン１１の決定キー１１６を操作することで、その選択したダビングモードの設定に移行する。
【００３８】
ここで、モードの選択操作は、例えばリモコン１１の上下左右キー１１５の中の上下キーを操作して、画面上に表示されているカーソル（またはカーソル枠）を所望するモードまで移動し、この後リモコン１１の決定キー１１６を操作すればよい。このような選択操作は、以下の説明においても同じである。ただし、この選択操作は一例であり、このような操作に限定されるものではない。
【００３９】
ここで、ユーザが、「時間指定ダビングモード」を選択してリモコン１１の決定キー１１６を操作した場合には、図３（ｂ）に示す時間入力画面が表示される。時間入力画面では、ダビングの開始時刻または終了時刻のいずれかを入力した後、リモコン１１の決定キー１１６を操作する。
【００４０】
これにより、制御部１は、先に入力されたタイトルに基づいてハードディスク９から取得したそのタイトルの情報（録画時間や容量等）と、図３（ｂ）に示す時間入力画面から入力された開始時刻または終了時刻とに基づいて、ダビング予約時間帯を決定する。そして、このダビング予約時間帯１０１を、図３（ｃ）に示すように、横軸を時間軸とした予約画面上に横棒状に表示する。このとき、録画予約がすでに設定されている場合には、その録画予約時間帯２０１，２０２も予約画面上に横棒状に表示する。
【００４１】
このように表示することで、ユーザは、ダビング予約時間帯１０１と録画予約時間帯２０１，２０２とが重複している場合には、その重複程度等も含めてその状況を一目で確認することができる。これにより、ユーザは、ダビング予約時間帯１０１をどの時間帯に変更すれば良いのかが、視覚的に判断し易くなる。またこのとき、併せてメッセージを表示してもよい。例えば「設定したダビング予約時間帯は録画予約時間帯に重複しています。ダビング予約時間帯を消去するか変更して下さい。」といったメッセージを表示する。これにより、ユーザに消去または変更の必要性を警告することができる。
【００４２】
ここで、図３（ｃ）に示すように、予約画面上に横棒状に表示されたダビング予約時間帯１０１は、リモコン１１の上下左右キー１１５の中の左右キーを操作することで、その予約画面上で左右方向に移動可能となっている。従って、ユーザは、ダビング予約時間帯１０１と録画予約時間帯２０１，２０２との間に重複部分がある場合には、この重複部分が解消されるように、左キーまたは右キーを操作して、ダビング予約時間帯１０１を所望する方向に所望する時間幅だけ移動させればよい。図３（ｄ）は、上下左右キー１５の中の右キーを操作して、ダビング予約時間帯１０１を図中右方向に移動させることによって、録画予約時間帯２０２との重複を解消した例を示している。なお、このようにダビング予約時間帯１０１を予約画面上で移動させると、制御部１では、この移動に伴って実際のダビング予約時間帯を変更するようになっている。
【００４３】
すなわち、ダビング予約時間帯と録画予約時間帯とが重複している場合には、上下左右キー１１５の左キーまたは右キーの操作により、その予約画面上でダビング予約時間帯をユーザの所望する時間帯に移動させるだけでよい。このような操作をするだけで、実際のダビング予約時間帯も変更することができるようになっている。
【００４４】
なお、上記実施例１では、ダビング予約時間帯１０１を移動させる場合に、これを常に一体として移動させる構成として説明（図３（ｃ），（ｄ）参照）しているが、例えば録画予約時間帯２０１，２０２の間の時間帯を有効に利用することで、ダビングをより早く終了させるようにしてもよい。すなわち、図３（ｅ）に示すように、ダビング予約時間帯１０１を、録画予約時間帯２０１，２０２と重複しない部分１０１ａと、録画予約時間帯２０２と重複する部分１０１ｂとに分割し、重複する部分１０１ｂについては、録画予約時間帯２０２の後に移動することで、録画予約時間帯２０２との重複を回避するようにしてもよい。このような分割処理及び表示は、制御部１側で自動的に行うようになっている。すなわち、上下左右キー１１５の右キーを操作して、ダビング予約時間帯１０１を予約画面上右方向に移動させると、この移動に伴って重複する部分が自動的に分割され、重複する録画予約時間帯２０２の後ろ側に移動するようになっている。また逆に、上下左右キー１１５の左キーを操作して、ダビング予約時間帯１０１を予約画面上左方向に移動させると、図示は省略しているが、この移動に伴って重複する部分が自動的に分割され、重複する録画予約時間帯２０１の前側に移動するようになっている。
【００４５】
このように、一部重複する場合には、その重複する録画予約時間帯の前後に分割してダビングを実施することで、ユーザの指定した時間帯により近いタイミングで、かつ、録画予約の空き時間帯を有効に使った効率の良いダビング動作を実行することができる。
【実施例２】
【００４６】
本実施例２は、上記実施例１においてさらに、録画履歴の情報を加味した実施例である。
【００４７】
すなわち、本実施例２では、制御部１は、リモコン１１の録画キー１１４の操作による録画動作及び録画予約による録画動作のそれぞれの録画曜日と録画開始時刻及び録画時間と録画回数とを、録画履歴としてメモリ部１ｂの例えばフラッシュメモリに記憶するようになっている。
【００４８】
図４は、フラッシュメモリに記憶されている録画履歴情報の一例を示している。
【００４９】
この録画履歴情報は、録画曜日、録画開始時刻、録画時間、録画回数の各項目からなっている。この録画履歴情報を見ると、月曜日の１８時から６０分間録画を行っており、その回数は１回となっている。また、火曜日の２０時から９０分間録画を行っており、その回数は１回となっている。さらに、火曜日の２２時から６０分間録画を行っており、その回数は３回となっている。これは、例えば火曜日の２２時から連続ドラマが放送されており、このドラマを３話分録画したことを示している。すなわち、この録画回数を見ることで、次の週の同じ曜日の同じ時間帯に再び録画する可能性が高いことが分かる。ただし、本実施例２では、録画回数については特に考慮しないものとする。なお、録画履歴情報は、例えば１か月単位で更新するようにしてもよい。これにより、常に最新の録画履歴情報がフラッシュメモリに記憶されることになる。
【００５０】
このような録画履歴情報を参照して、制御部１では、ダビング予約が行われたとき、上記実施例１の処理に加え、次のような処理を実行する。
【００５１】
すなわち、制御部１は、ユーザの時間指定によりダビング予約時間帯１０３を決定した場合には、当該ダビング予約時間帯１０３の前後において、フラッシュメモリに記憶されている録画履歴情報から過去に録画動作を行った回数が比較的少ない（当然、０回も含む）時間帯を取得し、その取得した時間帯をダビング予約推奨時間帯として予約画面上に表示する。ただし、過去に録画動作を行った回数が何回までをダビング予約推奨時間帯とするかについては予め設定しておけばよい。例えば、最も安全を考慮すれば０回であるが、１回程度であれば、ダビング予約推奨時間帯として推奨しても特に問題はないと考えられる。ただし、図５に示す例では、ダビング予約推奨時間帯を決定する基準として、過去に録画動作を行った回数を０回としている。
【００５２】
具体的に説明すると、ユーザの時間指定により決定したダビング予約時間帯１０３が、図５に示すように、月曜日の１７時３０分から１時間であった場合には、録画履歴情報から、過去に同じ月曜日の１８時から６０分間録画が行われていることが分かるので、制御部１では、この過去の録画時間帯２０３を回避する１９時以降の時間帯領域３０１をダビング予約推奨時間帯として表示する。表示の一例としては、ダビング予約推奨時間帯３０１の背景色を青色で表示し、その他の時間帯３０２の背景色を黄色で表示する。このように背景の表示色を異ならせて表示することで、ユーザに対して、より安全確実にダビングを行うことができる時間帯（すなわち、その後不測に録画予約が入ることの少ない時間帯）を提示できるので、ユーザは、ダビングするのに時間的余裕がある場合には、現在のダビング予約時間帯１０３をこのダビング推奨時間帯３０１に移動（図５中、符号１０３′により示す）することを検討することができる。
【実施例３】
【００５３】
本実施例３は、ユーザが「オートダビングモード」を選択した場合の実施例である。以下、図３（ａ）及び図6に示すモニタの画面表示例を参照して説明する。
【００５４】
すなわち、ユーザは、リモコン１１のダビングキー１１３を押してテレビ３０のモニタに図示しないダビング選択画面を表示し、このダビング選択画面に従ってダビング先（ここではＤＶＤ２０）とダビング元（ここではＨＤ９）を決定し、ダビングするタイトルをリスト一覧から選択し、さらにダビング時の録画モード（ＳＰモード、ＬＰモード、ＳＬＰモード等）を選択する。これにより、ダビング選択画面には、ユーザの選択したタイトル名及びダビングにかかる総時間や容量などが表示される。以上により、ダビングの基本的な設定を終了する。
【００５５】
このようにして基本的な設定を終了すると、次に、テレビ３０のモニタには、図３（ａ）に示すようなダビングモード設定画面が表示される。このダビングモード設定画面には、すぐにダビングを実行する「即実行ダビングモード」、ユーザがダビング実行時間を指定することでダビング予約を行う「時間指定ダビングモード」、装置側でダビング時間を設定する「オートダビングモード」の３つのモード選択が表示されるので、ユーザは、この中から「オートダビングモード」を選択してリモコン１１の決定キー１１６を操作する。
【００５６】
これにより、制御部１は、録画予約がすでに設定されている場合には、録画予約情報がメモリ部１ｂに格納されているので、この録画予約情報を考慮して、ダビング予約時間帯を決定する。具体的には、録画予約時間帯を避けつつ最も早くダビングが行える時間帯を決定する。そして、その決定したダビング予約時間帯１０５と録画予約時間帯２０５とを、図６（ａ）に示すように、横軸を時間軸とした予約画面上に横棒状に表示する。
【００５７】
図６（ａ）では、ダビング予約を行った時刻が１７：００であり、録画予約がその１時間後の１８：００から２時間分設定されており、ダビング予約時間が２時間分である場合を例示している。この場合、ダビング予約時刻（１７：００）から録画予約時間帯２０５までの間が１時間しかなく、ダビング予約時間帯１０５の２時間部が入らないため、ダビング予約時間帯１０５を録画予約時間帯２０５の直後に設定している。一方、図６（ｂ）は、ダビングをできる限り早く終了するように設定した例であり、ダビング予約時間帯１０５を半分に分割し、前半部分のダビング予約時間帯１０５ａを、ダビング予約時刻（１７：００）から録画予約時間帯２０５までの間に挿入し、後半部分のダビング予約時間帯１０５ｂを、録画予約時間帯２０５の終了直後に挿入している。すなわち、録画予約時間帯２０５を挟んで前後に分割した分割ダビングとしている。これにより、図６（ａ）に比べて、ダビングを１時間早く終了することができる。
【００５８】
オートダビングモードでは、図６（ａ），（ｂ）に示す予約画面が最終決定画面であり、ユーザは画面確認のみで何もしなければ、そのままダビング予約が設定されることになるが、変更したい場合には、例えば予約画面上に「変更」キーを表示しておき、ユーザがこの「変更」キーを選択することで、変更可能としてもよい。このときの変更操作は、上記実施例１で説明した操作と同じであり、上下左右キー１１５の左キーまたは右キーの操作により、その予約画面上でダビング予約時間帯１０５をユーザの所望する時間帯に移動させるだけでよい。このような操作をするだけで、実際のダビング予約時間帯も変更することができる。
【実施例４】
【００５９】
本実施例４は、上記実施例３においてさらに、録画履歴の情報を加味した実施例である。
【００６０】
すなわち、本実施例４では、上記実施例２と同様、制御部１は、リモコン１１の録画キー１１４の操作による録画動作及び録画予約による録画動作のそれぞれの録画曜日と録画開始時刻及び録画時間と録画回数とを、録画履歴としてメモリ部１ｂの例えばフラッシュメモリに記憶（図４参照）するようになっている。
【００６１】
このような録画履歴情報を参照して、制御部１では、ダビング予約が行われたとき、上記実施例３の処理に加え、次のような処理を実行する。以下、図７に示すフローチャートを参照して説明する。
【００６２】
すなわち、制御部１は、録画予約情報を加味してダビング予約時間帯１０５を決定後（ステップＳ１）、フラッシュメモリに記憶されている録画履歴情報から過去に録画動作を行った時間帯を取得し（ステップＳ２）、その取得した時間帯が上記で決定したダビング予約推奨時間帯と重複しているか否かを判断する（ステップＳ３）。その結果、重複していなければ（ステップＳ３でＮｏと判断されれば）、ステップＳ１で決定したダビング予約時間帯１０５を最終的なダビング予約時間帯として決定し、予約画面上に表示する（ステップＳ５）。一方、一部でも重複している場合には、重複を回避するようにダビング予約時間帯１０５を変更し（ステップＳ４）、これを最終的なダビング予約時間帯として決定する（ステップＳ５）。このときの変更は、図６（ａ）に示すように、重複する過去の録画動作時間帯の後ろに変更してもよいし、図６（ｂ）に示すように、分割ダビングに変更してもよい。
【００６３】
なお、このようにダビング予約時間帯を変更しても、回避した過去の録画動作時間帯に今回も録画予約が設定されるとは限らない。従って、その変更が無駄になってしまう場合もある。そのため、このような場合を考慮し、ステップＳ３で重複すると判断された場合には、ダビング予約時間帯を変更せず、この過去の録画動作時間帯以降の時間帯領域をダビング予約推奨時間帯として併せて表示するようにしてもよい。表示の一例としては、上記実施例２と同様、ダビング予約推奨時間帯の背景色を青色で表示し、ダビング予約時間帯及び過去の録画動作時間帯を含むその他の時間帯の背景色を黄色で表示する。またこのとき、メッセージを併せて表示してもよい。例えば、「設定したダビング予約時間帯には録画予約が設定される可能性があります。ダビング予約推奨時間帯への変更を検討して下さい。」といったメッセージを表示してもよい。
【００６４】
このように背景の表示色を異ならせて表示したり、メッセージを表示したりすることで、ユーザに対して、より安全確実にダビングを行うことができる時間帯を提示できるので、ユーザは、ダビングするのに時間的余裕がある場合には、現在のダビング予約時間帯をこのダビング推奨時間帯に手動で移動すればよい。
【００６５】
なお、上記各実施例１〜４において、制御部１は、ダビング先であるＤＶＤ２０の残容量を検出し、ダビング予約を行った情報の情報量がＤＶＤ２０の残容量より多い場合には、予約画面上に警告表示を行うように構成してもよい。警告表示の例としては、「現在の録画モードではＤＶＤ２０に全て録画することができません、録画モードの変更をお願いします。」といったメッセージを表示する。このように警告表示を行うことで、時間的にはダビング可能であっても、実際にダビングを開始したときには、途中でＤＶＤ２０の容量が満杯になってダビングが途中で中断してしまうといった不具合の発生を防止することができる。
【図面の簡単な説明】
【００６６】
【図１】本発明に係る映像記録再生装置の一実施形態であるハードディスク（ＨＤ）内蔵型ＤＶＤレコーダの電気的構成を示すブロック図である。
【図２】リモコンのキー配置の構造を示す説明図である。
【図３】時間指定ダビングモード時のモニタの画面表示例を示す説明図である。
【図４】フラッシュメモリに記憶されている録画履歴情報の一例を示す説明図である。
【図５】予約画面の表示色を変更する例を示す説明図である。
【図６】オートダビングモード時のモニタの画面表示例を示す説明図である。
【図７】実施例４のダビング予約動作時の処理手順を示すフローチャートである。
【符号の説明】
【００６７】
１  制御部
１ａ  ＣＰＵ
１ｂ  メモリ部
１ｃ  カウンタ
２  アンテナ
３  チューナ
４  信号処理部
５  ディスク読書部
６  リモコン受信部
７  表示部
８  操作部
９  ハードディスク（ＨＤ）
１０  ＨＤ内蔵型ＤＶＤレコーダ
１１  リモコン
２０  ＤＶＤ
３０  テレビ
１１１  電源キー
１１２  テンキー
１１３  ダビングキー
１１４  録画キー
１１５  上下左右キー
１１６  決定キー
【図１】
0004501821.tif 000002
【図２】
0004501821.tif 000003
【図３】
0004501821.tif 000004
【図４】
0004501821.tif 000005
【図５】
0004501821.tif 000006
【図６】
0004501821.tif 000007
【図７】
0004501821.tif 000008